【手続補正書】
【提出日】平成21年4月23日(2009.4.23)
【手続補正１】
【補正対象書類名】明細書
【補正対象項目名】特許請求の範囲
【補正方法】変更
【補正の内容】
【特許請求の範囲】
【請求項１】  ケース内に多数本の中空糸膜が束ねられた中空糸膜束が収納され、該中空糸膜の少なくとも片端が樹脂で接着固定された中空糸膜モジュールにおいて、前記ケースの少なくとも一部部材を、アクリロニトリル−Ｘ−スチレン（ＡＸＳ）樹脂から構成したことを特徴とする中空糸膜モジュール。
【請求項２】  前記アクリロニトリル−Ｘ−スチレン（ＡＸＳ）樹脂が、アクリロニトリル−エチレンプロピレンゴム−スチレン（ＡＥＳ）樹脂、もしくはアクリロニトリル−アクリルゴム−スチレン（ＡＡＳ）樹脂であることを特徴とする請求項１記載の中空糸膜モジュール。
【請求項３】  前記中空糸膜モジュールが、濾過もしくは逆洗時にケース内部が大気圧以上に加圧される加圧型であることを特徴とする請求項１または２に記載の中空糸膜モジュール。
【手続補正２】
【補正対象書類名】明細書
【補正対象項目名】０００５
【補正方法】変更
【補正の内容】
【０００５】
一方、塩化ビニル（ＰＶＣ）樹脂は、耐水性、耐酸性、耐アルカリ性、無毒、難燃性、良電気絶縁性などのほか、多くの溶剤類にも耐える性質があり、しかも廉価に供給されていることから、工業用基礎資材として幅広く利用されている。また、ポリカーボネート（ＰＣ）樹脂は、透明性が高く、耐熱性、寸法安定性、耐衝撃性等に優れた熱可塑性樹脂であることから、機械部品等の工業用基礎資材として多用されている。さらにまた、アクリロニトリル−ブタジエンゴム−スチレン（ＡＢＳ）樹脂は、耐衝撃性、耐熱性、寸法安定性、難燃性などに優れた高剛性の熱可塑性樹脂であり、廉価に供給されていることから、塩化ビニル樹脂と同様、工業用基礎資材として多用されている。
【手続補正３】
【補正対象書類名】明細書
【補正対象項目名】０００６
【補正方法】変更
【補正の内容】
【０００６】
このような有利性から、塩化ビニル（ＰＶＣ）樹脂やポリカーボネート（ＰＣ）樹脂、あるいはアクリロニトリル−ブタジエンゴム−スチレン（ＡＢＳ）樹脂は、中空糸膜モジールのケースに対しても適用することができる。しかしながら、近年この塩化ビニル（ＰＶＣ）樹脂を焼却すると内分泌攪乱物質（いわゆる環境ホルモン）であるダイオキシンを発生するため、使用後の廃棄物としての処理が難しくなってきている。また、ポリカーボネート樹脂は内分泌攪乱物質であるビスフェノールＡを原料とすることが知られており、飲料水用途として用いる中空糸膜モジュールケースに適用するには問題がある。
【手続補正４】
【補正対象書類名】明細書
【補正対象項目名】０００７
【補正方法】変更
【補正の内容】
【０００７】
また、アクリロニトリル−ブタジエンゴム−スチレン（ＡＢＳ）樹脂は、ブタジエンゴムの架橋劣化に起因する低耐候性のため、屋外で用いる中空糸膜モジール用ケースに適用するには、耐候性塗料を塗装しなければならないという欠点を有していた。
【手続補正５】
【補正対象書類名】明細書
【補正対象項目名】０００９
【補正方法】変更
【補正の内容】
【０００９】
【課題を解決するための手段】
上記目的を達成するために、本発明は、ケース内に多数本の中空糸膜が束ねられた中空糸膜束が収納され、該中空糸膜の少なくとも片端が樹脂で接着固定された中空糸膜モジュールにおいて、前記ケースの少なくとも一部部材を、アクリロニトリル−Ｘ−スチレン（ＡＸＳ）樹脂から構成したことを特徴とする中空糸膜モジュールである。また、前記アクリロニトリル−Ｘ−スチレン（ＡＸＳ）樹脂が、アクリロニトリル−エチレンプロピレンゴム−スチレン（ＡＥＳ）樹脂、もしくはアクリロニトリル−アクリルゴム−スチレン（ＡＡＳ）樹脂であることを特徴とする上記記載の中空糸膜モジュールである。さらにまた、前記中空糸膜モジュールが、濾過もしくは逆洗時にケース内部が大気圧以上に加圧される加圧型であることを特徴とする上記記載の中空糸膜モジュールである。
【手続補正６】
【補正対象書類名】明細書
【補正対象項目名】００１０
【補正方法】変更
【補正の内容】
【００１０】
上記のように、ケース内壁に固定した中空糸膜モジュールにおいて、前記ケースの少なくとも一部部材を、アクリロニトリル−Ｘ−スチレン（ＡＸＳ）樹脂（ここで、Ｘはエチレンプロピレンゴムやアクリルゴムなどのゴム成分である。）、好ましくは上記Ｘがエチレンプロピレンゴムであるアクリロニトリル−エチレンプロピレンゴム−スチレン（ＡＥＳ）樹脂、もしくは、上記Ｘがアクリルゴムであるアクリロニトリル−アクリルゴム−スチレン（ＡＡＳ）樹脂から構成したことによって、飲料水の処理用途としても問題なく使用可能であり、本モジュールを焼却したとしてもダイオキシンによる環境汚染を発生させず、かつ耐候性塗料を塗装する必要のないものとなる。
【手続補正７】
【補正対象書類名】明細書
【補正対象項目名】００１３
【補正方法】変更
【補正の内容】
【００１３】
中空糸膜モジュール５０のモジュールケース１は、アクリロニトリル−エチレンプロピレンゴム−スチレン（ＡＥＳ）樹脂もしくはアクリロニトリル−アクリルゴム−スチレン（ＡＡＳ）樹脂の押出成形、射出成形あるいはブロー成形などの成形法により成形された複数のケース成形材から組み立てられている。すなわち、モジュールケース１は、中央に長尺の本体ケース１ａを配置し、その両端部に、それぞれ中空糸膜束３の端部３ｅ（Ａ）と３ｅ' （Ｂ）を接着固定した保持ケース１ｂ，１ｂ' が連結され、さらに保持ケース１ｂ，１ｂ' の外側端に、それぞれキャップケース１ｃ，１ｃ' が連結されて構成されている。
【手続補正８】
【補正対象書類名】明細書
【補正対象項目名】００１４
【補正方法】変更
【補正の内容】
【００１４】
もちろん、上記全ての部材をＡＸＳ樹脂、好ましくはＡＥＳ樹脂もしくはＡＡＳ樹脂で構成する必要はなく、当該ケースの一部の部材であっても良い。その場合は、その他のケース部材は、塩化ビニール樹脂、ＰＣ樹脂や特に屋外モジュール用においてはアクリロニトリル−ブタジエンゴム−スチレン（ＡＢＳ）樹脂以外の部材、例えばステンレス鋼などの金属やその他の樹脂を使用するのが好ましい。
【手続補正９】
【補正対象書類名】明細書
【補正対象項目名】００２７
【補正方法】変更
【補正の内容】
【００２７】
本発明によれば、上述したようにモジュールケース１を構成するケース成形材、具体的には本体ケース１ａ、保持ケース１ｂ，１ｂ' 、キャップケース１ｃ，１ｃ' の少なくとも一部部材がＡＸＳ樹脂、好ましくはＸがエチレンプロピレンゴムであるアクリロニトリル−エチレンプロピレンゴム−スチレン（ＡＥＳ）樹脂、もしくは、Ｘがアクリルゴムであるアクリロニトリル−アクリルゴム−スチレン（ＡＡＳ）樹脂の押出成形、射出成形、ブロー成形あるいは熱成形などの成形法により成形されたケース部材や旋盤等の切削加工により加工された複数のケース部材から構成したものであるため、他のケースの一部部材に塩化ビニル樹脂やＰＣ樹脂を使用しない限り、本モジュールを飲料水処理用途に使用しても問題なく、かつ焼却したとしてもダイオキシンを発生することなく環境上問題なく処分可能となる。また、他のケースの一部部材にＡＢＳ樹脂を使用しない限り、耐候性塗料の塗装が不要となる。
【手続補正１０】
【補正対象書類名】明細書
【補正対象項目名】００３０
【補正方法】変更
【補正の内容】
【００３０】
上記成形に使用するアクリロニトリル−Ｘ−スチレン（ＡＸＳ）樹脂において、Ｘは、エチレンプロピレンゴム、アクリルゴム、ブタジエンゴムなどのゴム成分であり、ＡＸＳ樹脂としては、Ｘがブタジエンゴムであるアクリロニトリル−ブタジエンゴム−スチレン（ＡＢＳ）樹脂、Ｘがエチレンプロピレンゴムであるアクリロニトリル−エチレンプロピレンゴム−スチレン（ＡＥＳ）樹脂、又はＸがアクリルゴムであるアクリロニトリル−アクリルゴム−スチレン（ＡＡＳ）樹脂等が該当するものである。しかし、アクリロニトリル−ブタジエンゴム−スチレン（ＡＢＳ）樹脂は、ブタジエンゴムの架橋劣化に起因して耐候性が劣っている。
【手続補正１１】
【補正対象書類名】明細書
【補正対象項目名】００３１
【補正方法】変更
【補正の内容】
【００３１】
Ｘとしてエチレンプロピレンゴム、あるいはアクリルゴムを用いたＡＥＳ樹脂、ＡＡＳ樹脂は、上記ＡＢＳ樹脂の低耐候性を改善したもので、塩化ビニル樹脂と同等以上の耐候性を有しているため、中空糸膜モジュール用のケース部材として好ましい。また、耐水性、耐薬品性、成形性についても、ＡＢＳ樹脂や塩化ビニル樹脂とほぼ同等の特性を有し、価格もＡＢＳ樹脂や塩化ビニル樹脂と多少高価となる程度である。
【手続補正１２】
【補正対象書類名】明細書
【補正対象項目名】００３３
【補正方法】変更
【補正の内容】
【００３３】
本発明では、このような塩化ビニル樹脂やＡＢＳ樹脂を使用することなく、ケース部材の少なくとも一部部材が、アクリロニトリル−Ｘ−スチレン（ＡＸＳ）樹脂、好ましくはＸがエチレンプロピレンゴムであるアクリロニトリル−エチレンプロピレンゴム−スチレン（ＡＥＳ）樹脂、もしくは、Ｘがアクリルゴムであるアクリロニトリル−アクリルゴム−スチレン（ＡＡＳ）樹脂の押出成形、射出成形、ブロー成形あるいは熱成形等の成形法や切削加工等により形成した複数のケース部材から構成したものであるため、飲料水処理用途に使用可能で、かつ焼却したとしてもダイオキシンを発生することなく環境汚染上の問題なく処分可能となる。また、耐候性も優れているので屋外用途にも問題なく適用可能となる。また、本発明は、常圧型とは異なりモジュールケースが外気に露出しているため、より紫外線の影響を受けやすい加圧型モジュールにおいて特に好ましい。
【手続補正１３】
【補正対象書類名】明細書
【補正対象項目名】００４３
【補正方法】変更
【補正の内容】
【００４３】
【発明の効果】
上述したように本発明によれば、塩化ビニル樹脂やＡＢＳ樹脂を使用することなく、ケース部材の少なくとも一部が、アクリロニトリル−Ｘ−スチレン（ＡＸＳ）樹脂、好ましくはＸがエチレンプロピレンゴムであるアクリロニトリル−エチレンプロピレンゴム−スチレン（ＡＥＳ）樹脂、もしくは、Ｘがアクリルゴムであるアクリロニトリル−アクリルゴム−スチレン（ＡＡＳ）樹脂の押出成形、射出成形、ブロー成形あるいは熱成形等の成形法や切削加工により形成された複数のケース部材から構成したものであるため、飲料水処理用途に適用可能で、かつ焼却したとしてもダイオキシンによる環境汚染を生ずることなく処分可能となる。また、屋外用途の加圧型中空糸膜モジュールケースとしても、耐候性塗料を塗装することなく適用可能となる。